(57)【要約】【課題】光損失の変化が低減された光コネクタ用割スリーブを提供すること。【解決手段】光コネクタ用割スリーブ３は、各々スリット３４を有する複数の筒状部分３１を備えており、スリット３４が、複数の筒状部分３１の連結部分３３に対向している。他の態様によれば、光コネクタ用割スリーブ３は、連結部分３３の軸方向における長さが、円筒部分３１の軸方向における長さより短い。他の態様によれば、複数の筒状部分３１は、各々同じ方向にスリット３４を有している。【選択図】図２
2010197762.tif 000002
【特許請求の範囲】
【請求項１】
各々スリットを有する複数の筒状部分を備えており、前記スリットが、前記複数の筒状部分の連結部分に対向していることを特徴とする光コネクタ用割スリーブ。
【請求項２】
前記連結部分の軸方向における長さが、前記円筒部分の軸方向における長さより短いことを特徴とする請求項１記載の光コネクタ用割スリーブ。
【請求項３】
前記複数の筒状部分は、各々同じ方向に前記スリットを有していることを特徴とする請求項１記載の光コネクタ用割スリーブ。
【発明の詳細な説明】
【技術分野】
【０００１】
本発明は、例えば光コネクタに用いられる割スリーブに関するものである。
【背景技術】
【０００２】
例えば光通信分野などにおいて、一対の光ファイバ同士を接続するための光コネクタが用いられている。この光コネクタには、複数の光ファイバ同士を接続するためのものがある。例えば、２本の光ファイバと他の２本の光ファイバとを接続するための光コネクタがある。光コネクタには、光ファイバを保持するフェルールが挿入されるスリーブを有するものがある。
【先行技術文献】
【特許文献】
【０００３】
【特許文献１】特開２００６−２８４８９７号公報
【発明の概要】
【発明が解決しようとする課題】
【０００４】
光コネクタにおいては、光ファイバを保持しているフェルールの複数回の挿入が繰り返される場合がある。この複数回の挿入において、一対の光ファイバ同士が接続される部分における光損失に変化が生じる可能性がある。
【課題を解決するための手段】
【０００５】
本発明の一つの態様によれば、光コネクタ用割スリーブは、各々スリットを有する複数の筒状部分を備えており、スリットが複数の筒状部分の連結部分に対向している。
【発明の効果】
【０００６】
本発明の一つの態様によれば、光コネクタ用割スリーブは、各々スリットを有する複数の筒状部分を備えており、スリットが複数の筒状部分の連結部分に対向していることにより、複数回においてフェルールが挿入される場合にも、光損失の変化に関して低減されている。
【図面の簡単な説明】
【０００７】
【図１】光コネクタ構造を示している。
【図２】図１に示された割スリーブ３の斜視図を示している。
【図３】図２に示された割スリーブ３の視線３００における側面図を示している。
【図４】他の例示的な割スリーブ３の平面図を示している。
【図５】他の例示的な割スリーブ３の側面図を示している。
【発明を実施するための形態】
【０００８】
以下、本発明の例示的な実施形態について図面を参照して説明する。
【０００９】
図１に示されているように、本発明の一つの実施形態における光コネクタ１は、ハウジング２および割スリーブ３を有している。図１において、内部構造を示すことを目的に、ハウジング２は、透視した状態で示されている。割スリーブ３は、ハウジング２の内部に設けられている。光コネクタ構造において、光ファイバ４は、支持体５に固定されたフェルール６に保持されている。フェルール６は、割スリーブ３に挿入される。
【００１０】
図２に示されているように、割スリーブ３は、複数の筒状部分３１を有している。“筒状”とは、所定方向に設けられた内部空間を有する形状のことをいう。図２において、割スリーブ３は、仮想のｙ軸方向に設けられた内部空間３２を有している。割スリーブ３は、平行に設けられた２つの筒状部分３１を有している。
【００１１】
割スリーブ３は、連結部分３３を有しており、一体的に形成されている。例示的な割スリーブ３は、実質的にジルコニアからなる。連結部分３３は、複数の筒状部分３１の外側表面を連結しており、仮想のｙ軸方向に設けられている。連結部分３３の軸方向における長さは、筒状部分３１の軸方向における長さと等しい。“軸方向”とは、図２において、仮想のｙ軸方向のことをいう。
【００１２】
複数の筒状部分３１の各々は、仮想のｙ軸方向に設けられたスリット３４を有している。スリット３４は、筒状部分３１の第１端部３１１および第２端部３１２の間に連続して形成されている。スリット３４は、仮想のｙ軸方向に設けられている。
【００１３】
スリット３４は、連結部分３３に対向している。従って、割スリーブ３は、フェルール６の挿入時におけるスリット３４の広がりに関して改善されている。“対向”とは、図２に示されているように、スリット３４が、連結部分３３を基準に円周方向３２０において１６０°〜２００°の範囲内に設けられていることをいう。
【００１４】
本実施形態における割スリーブ３は、連結された複数の筒状部分３１を有していることにより、フェルール６を複数回にわたって挿入する場合にも、複数のフェルール６同士が接する部分における光損失の変化に関して低減されている。
【００１５】
さらに具体的に、本実施形態における割スリーブ３は、複数の筒状部分３１が連結されていることにより、フェルール６を複数回にわたって挿入する場合にも、フェルール６が挿入される内部空間３２の変位に関して低減されている。例えば、連結されていない複数の割スリーブを有する光コネクタ構造に比べて、フェルール６を複数回にわたって挿入する場合にも、フェルール６が挿入される内部空間３２の変位に関して低減されている。連結されていない複数の割スリーブを有する光コネクタ構造においては、複数の割スリーブが、各々、筒状体の回転方向に回転する可能性があり、スリットの位置が変化する可能性がある。本実施形態における割スリーブ３は、このような技術的課題に関して改善されている。
【００１６】
他の例示的な割スリーブ３について図４を参照して説明する。この例の割スリーブ３において、図２に示された構成と異なる点は、連結部分３３の構造である。他の構成は、図２に示された割スリーブ３と同様である。
【００１７】
割スリーブ３の連結部分３３の軸方向における長さは、筒状部分３１の軸方向における長さより短い。従って、割スリーブ３は、フェルール６の挿入時におけるスリット３４の広がりに関して改善されている。“軸方向”とは、図４において、仮想のｙ軸方向のことをいう。この例における割スリーブ３は、スリット３４の広がりを抑制する連結部分３３の長さに関して工夫が施されていることにより、フェルール６の挿入時におけるスリット３４の広がりに関して改善されている。
【００１８】
他の例示的な割スリーブ３について図５を参照して説明する。この例の割スリーブ３において、図２に示された構成と異なる点は、複数の筒状部分３１が、各々同じ方向にスリット３４を有していることである。“同じ方向にスリット３４を有している”とは、例えば図５において、複数の筒状部分３１が、各々上方向（仮想のｚ軸の正方向）にスリット３４を有していることをいう。他の構成は、図２に示された割スリーブ３と同様である。この例による割スリーブ３は、同じ方向に設けられた複数のスリット３４を有していることにより、複数の筒状部分３１の各々に生じる応力分布の差が低減されている。従って、割スリーブ３は、複数回にわたってフェルール６が挿入される場合にも、複数のフェルール６同士が接する部分における光損失の変化に関して低減されている。
【符号の説明】
【００１９】
１  光コネクタ
２  ハウジング
３  割スリーブ
３１  筒状部分
３２  内部空間
３３  連結部分
３４  スリット
【図１】
2010197762.tif 000003
【図２】
2010197762.tif 000004
【図３】
2010197762.tif 000005
【図４】
2010197762.tif 000006
【図５】
2010197762.tif 000007